(57)【要約】      （修正有）【課題】支持線の弛度調整である引っ張り作業と巻き付け作業を別個に行えるようにして引き留め作業を確実に行える引留具を提供する。【解決手段】先端に掛止環２を突設した基板１の上面に、それぞれ上端に係止鍔３ａ，４ａ，５ａを設けたガイド突子３，４，５を並設し、該ガイド突子に支持線ｍを巻付けて引込線を引留めるようにしてある。そして、前記基板１の後端側の第一ガイド突子３の前記係止鍔３ａの下面に、該第一ガイド突子３に隣接する第二ガイド突子４側の周端から前記基板１方向に下向する傾斜面ａを設け、該傾斜面ａと基板１の前記上面との間を前記支持線ｍの挟持間隙８ａとする。【選択図】図２
0003117509.tif 000002
【実用新案登録請求の範囲】
【請求項１】
先端に掛止環を突設した基板の上面に、それぞれ上端に係止鍔を設けたガイド突子を並設し、該ガイド突子に支持線を巻付けて引込線を引留める引込線引留具において、前記基板の後端側の第一ガイド突子の前記係止鍔の下面に、該第一ガイド突子に隣接する第二ガイド突子側の周端から前記基板方向に下向する傾斜面を設け、該傾斜面と基板の前記上面との間を前記支持線の挟持間隙とした、引込線引留具。
【考案の詳細な説明】
【技術分野】
【０００１】
本考案は、概し、光ケーブルを電柱位置から家屋に引き込む際に用いる引込線引留具に関するものである。
【背景技術】
【０００２】
先端に掛止環を突設した基板の上面に、それぞれ上端に係止鍔を設けたガイド突子を並設し、該ガイド突子に、前記基板の後端側の第一ガイド突子から引込線（光ケーブル）の支持線を順次巻付けて用いるようにした構造のものは公知である（例えば、特許文献１）。
【０００３】
【特許文献１】特開平１０−２８８７１号公報
【考案の開示】
【考案が解決しようとする課題】
【０００４】
屋外線（光ケーブル）を引き込むに際し、該屋外線は予め決められた一定の弛度にして（所謂弛度をとって）引き留めるのであるが、従来の前記引留具は、構造上、前記の弛度をとりながら（調整しながら）すなわち、支持線を引っ張りながら、ガイド突子に支持線を巻き付けるようにしているため、引留め作業が煩雑である。
【０００５】
本考案は、弛度調整である引っ張り作業と巻き付け作業を別個に行えるようにして引留め作業を確実に行える引留具を提供すべく案出したものである。
【課題を解決するための手段】
【０００６】
先端に掛止環を突設した基板の上面に、それぞれ上端に係止鍔を設けたガイド突子を並設し、該ガイド突子に支持線を巻付けて引込線を引留める引込線引留具において、前記基板の後端側の第一ガイド突子の前記係止鍔の下面に、該第一ガイド突子に隣接する第二ガイド突子側の周端から前記基板方向に下向する傾斜面を設け、該傾斜面と基板の前記上面との間を前記支持線の挟持間隙とした構成としたものである。
【考案の効果】
【０００７】
本考案によれば、弛度調整に際し、支持線（光ケーブルの）を、第一ガイド凸子を経て第二ガイド突子を巻回して第一ガイド突子に戻すと、第一ガイド突子の係止鍔の下面に設けた傾斜面と基板上面との間の挟持間隙内に支持線は傾斜面によって案内されて挟持されているから、弛度調整状態において支持線の引留具に対する仮留めを行うことができ、該仮留め後、改めてガイド突子に対する巻き付ける作業を行えるから、引留め作業を円滑に行える引留具を提供できる。
【実施例】
【０００８】
図面は本考案に係る引込線引留具の一実施例を示し、図１は平面図、図２は側面図、図３は使用状態時の平面図、図４は一部の拡大側面図である。
【０００９】
図中、１は基板、２が該基板１の先端に突設した掛止環で、掛止環２は金属杆を折り曲げて形成したものである。
【００１０】
３，４，５は、前記基板１の上面に突設した第一、第二、第三のガイド突子で、各ガイド突子３，４，５は、基板１の後端側の前記第一ガイド突子３とこれに隣接する前記第二ガイド突子４は第一係合間隙６を介して、また、第二ガイド突子４とこれに隣接させて基板１の先端側に配した第三ガイド突子５とは第二係合間隙７を介して基板１先後方向に沿って列設したものである。
【００１１】
３ａは第一ガイド突子３の上端（先端）に設けた係止鍔、４ａは第二ガイド突子４ａ上端（先端）に設けた係止鍔、５ａは第三ガイド突子５ａの上端（先端）に設けた係止鍔をそれぞれ示し、各係止鍔３ａ，４ａ，５ａは前記基板１（の上面）とで支持線ｍを係合する間隙８，９，１０を構成している。
【００１２】
また、第一ガイド突子３の係止鍔３ａの前記第二ガイド突子４側の部分には、該係止鍔３ａの周端から基板１の上面方向に下向する傾斜面ａを設け、該傾斜面ａと基板１の上面との間を前記間隙８の一部を構成する、前記支持線ｍの挟入間隙８ａとしたものである。
【００１３】
しかして、引留具Ａに光ファイバーケーブルの光ファイバーから分離させた支持線ｍを巻付けるには、支持線ｍの中間部を間隙８を通じて第一ガイド突子３の一側に当てる操作→屈曲させて第一係合間隙６に係合する操作→屈曲させて間隙９を通じて第二ガイド突子４の一側に当てる操作→屈曲させて第二係合間隙７に係合する操作→屈曲させて間隙９を通じて第二ガイド突子４の他の一側に当てる操作→屈曲させて再び第一係合間隙６に係合する操作→屈曲させて間隙９を通じて第二ガイド突子４の一側に再び当てる操作（このとき第二ガイド突子４を一巻にして配することになる）→屈曲させて再び第二係合間隙７に係合する操作→屈曲させて間隙１０を通じて第三ガイド突子５に当てる操作→次いで、第三ガイド突子５の係止鍔５ａに設けた突部片１１の頸部１１´に巻付ける操作によって、第二ガイド突子４に対して一巻きにするようにし、各ガイド突子３，４，５間においては蛇行状に配するようにするのである。
【００１４】
この操作は、支持線ｍを構成材とする引込線の弛度調整状態を保持しなければならないのであるが、前記一連の操作中、第６段階の前記「屈曲させて再び第一係合間隙６に係合する操作」後に、屈曲させて間隙８を通じて第一ガイド突子３の他の一側に当てる操作を行うことにより支持線ｍは挟入間隙８ａ内に挟入され、第一ガイド突子３の係止鍔３ａと基板１とで挟持され、引留具Ａから手先を離しても、前記一連の操作と共に行われる弛度調整状態が維持され、所謂仮留めを行うことができるのである。
【００１５】
そして、引留具Ａをいわば持ち変えて、間隙８を通じて第一ガイド突子３の他の一側側から外して、前記一連の操作中の第７段階の前記「屈曲させて間隙９を通じて第二ガイド突子４の一側に再び当てる操作」以降の操作を行って、支持線ｍを引留具Ａに巻付け、引き留めることができるのである。
【００１６】
なお、本考案の引留具Ａはメタルケーブルの引留めにも適用できることは勿論である。
【図面の簡単な説明】
【００１７】
【図１】平面図。
【図２】側面図。
【図３】使用状態時の平面図。
【図４】一部の拡大側面図。
【符号の説明】
【００１８】
１      基板
２      掛止環
３      第一ガイド突子
３ａ    係止鍔
４      第二ガイド突子
４ａ    係止鍔
５      第三ガイド突子
５ａ    係止鍔
ａ      傾斜面
ｍ      支持線
【図１】
0003117509.tif 000003
【図２】
0003117509.tif 000004
【図３】
0003117509.tif 000005
【図４】
0003117509.tif 000006